(57)【特許請求の範囲】
【請求項１】
体液保持性の吸収層と該吸収層の非肌当接面側に形成された体液不透過性の裏面層とを備え、使い捨ておむつの装着時に該使い捨ておむつの肌当接面側に配置され、スペア用及び吸収補助用として使用される、使い捨ておむつ用の補助パッドであって、
上記吸収層の左右両側方に体液不透過性層を有するフラップが延設され、
該フラップは、上記吸収層との境界部から折曲されて上記裏面層に着脱可能になしてあり、且つ、上記裏面層又は上記フラップは、該フラップの離脱状態下において、上記使い捨ておむつの肌当接面に粘着固定可能になしてある
ことを特徴とする使い捨ておむつ用の補助パッド。
【請求項２】
上記裏面層が粘着部を有し、上記フラップが該粘着部に剥離可能に粘着可能な被粘着部を有していることを特徴とする請求項１に記載の使い捨ておむつ用の補助パッド。
【請求項３】
上記粘着部が裏面層の前端部及び後端部それぞれの左右両側縁部に設けられ、上記被粘着部がフラップの前端部及び後端部に設けられていることを特徴とする請求項２に記載の使い捨ておむつ用の補助パッド。
【請求項４】
上記粘着部は、裏面層の左右両側縁部に、該側縁部の長さ方向略全長に亘って設けられており、上記被粘着部は、フラップの長さ方向略全長に亘って設けられていることを特徴とする請求項２に記載の使い捨ておむつ用の補助パッド。
【請求項５】
肌当接面から装着者側へ起立されている立体ガードを有していることを特徴とする請求項１乃至請求項４のいずれかに記載の使い捨ておむつ用の補助パッド。
【発明の詳細な説明】
【０００１】
【発明の属する技術分野】
本発明は、体液保持性の吸収層と該吸収層の非肌当接面側に形成された体液不透過性の裏面層とを備え、使い捨ておむつの装着時に該使い捨ておむつの肌当接面側に配置使用される、使い捨ておむつ用の補助パッドに関し、更に詳しくは、昼間においては、使い捨ておむつには体液を吸収させずに該使い捨ておむつを繰り返し使用することが可能で、また夜間においては、使い捨ておむつと共に多量の体液を吸収・保持させることが可能な使い捨ておむつ用の補助パッドに関する。
【０００２】
【従来の技術及び発明が解決しようとする課題】
一般に、使い捨ておむつ用の補助パッドとして、体液保持性の吸収層と該吸収層の非肌当接面側に形成された体液不透過性の裏面層とを備え、使い捨ておむつの装着時に該使い捨ておむつの肌当接面側に配置使用される、使い捨ておむつ用の補助パッドが知られている。
この使い捨ておむつ用の補助パッドは、日中等頻繁におむつ交換作業可能な時には、補助パッドのみを頻繁に交換することにより体液が使い捨ておむつまで移行するのを回避し、使い捨ておむつを繰り返し経済的に使用する目的（スペア用）で使用される。また、夜間等長時間にわたっておむつ交換ができない時には、使い捨ておむつと共に多量の体液を吸収・保持させ、使い捨ておむつからの漏れを防ぐ目的（吸収補助用）で使用される。
また、このような使い捨ておむつ用の補助パッドは、肌当接面から装着者側へ起立する立体ガードを備えている。
【０００３】
上述したような従来の補助パッドは、比較的短時間の装着では、立体ガードにより補助パッドからの液漏れが確実に回避され、スペア用としての機能が良好に発揮される。また、夜間等の長時間の装着では、体液が立体ガードを越えて補助パッドの側方から使い捨ておむつに移行され吸収補助用として機能する。
しかし、このような使い捨ておむつ用の補助パッドにおいても、昼間等、装着者の動作が激しい場合には、補助パッドが使い捨ておむつとずれて、体液が補助パッドの側外方において使い捨ておむつに漏出されてしまう場合がある。
【０００４】
また、補助パッドの側外方からの漏れを防止するために、補助パッドの左右両側縁からフラップを延設させたものが提案されているが、このような補助パッドは、フラップのために立体ガード付きの使い捨ておむつに安定して配置し難い問題点がある。また、このような補助パッドは、安定して配置されると夜間等の長時間の装着においても体液がスムーズに使い捨ておむつに移行し難くなり、吸収補助用としては適切でなくなる問題点がある。
尚、従来より、吸収層の非肌当接面側を不織布等により形成した補助パッドも知られている。このような補助パッドにおいては、体液が良好に使い捨ておむつに移行され吸収補助用としては良好に機能するが、極少量の体液が漏出されてもその体液が使い捨ておむつに移行するのでスペア用としての使用には適していない。
【０００５】
従って、本発明の目的は、使い捨ておむつの装着時に該使い捨ておむつの肌当接面側に配置使用され、昼間においては使い捨ておむつには体液を吸収させずに該使い捨ておむつを繰り返し使用することが可能で、また夜間においては使い捨ておむつと共に多量の体液を吸収・保持させることが可能な、使い捨ておむつ用の補助パッドを提供することにある。
【０００６】
【課題を解決するための手段】
本発明は、体液保持性の吸収層と該吸収層の非肌当接面側に形成された体液不透過性の裏面層とを備え、使い捨ておむつの装着時に該使い捨ておむつの肌当接面側に配置され、スペア用及び吸収補助用として使用される、使い捨ておむつ用の補助パッドであって、上記吸収層の左右両側方に体液不透過性層を有するフラップが延設され、該フラップは、上記吸収層との境界部から折曲されて上記裏面層に着脱可能になしてあり、且つ、上記裏面層又は上記フラップは、該フラップの離脱状態下において、上記使い捨ておむつの肌当接面に粘着固定可能になしてあることを特徴とする使い捨ておむつ用の補助パッドを提供することにより、上記目的を達成したものである。
【０００７】
【発明の実施の形態】
以下、本発明の使い捨ておむつ用の補助パッドの第１の実施形態を図面を参照しながら具体的に説明する。
図１は、本発明の第１の実施形態に係る使い捨ておむつ用の補助パッドを裏面シート側から見た斜視図であって、（ａ）は吸収補助用としての使用の状態を示す図、（ｂ）はスペア用としての使用の状態を示す図、図２は、図１の補助パッドを表面シート側からみた斜視図であり、（ａ）は吸収補助用としての使用の状態を示す図、（ｂ）はスペア用としての使用の状態を示す図である。
【０００８】
本実施形態の使い捨ておむつ用の補助パッド１は、図１に示すように、体液保持性の吸収層としての吸収体と該吸収体の非肌当接面側に形成された体液不透過性の裏面層としての裏面シート１２とを備えている。この補助パッド１は、使い捨ておむつ（図示せず）の装着時に該使い捨ておむつ（図示せず）の肌当接面側に配置され使用される。
このような構成は従来公知の補助パッドと同じである。
【０００９】
而して、本実施形態の使い捨ておむつ用の補助パッド１では、図１及び図２に示すように、上記吸収体の左右両側方に体液不透過性層を有するフラップ３０，３０が延設されており、該フラップ３０，３０が、上記吸収体との境界部から折曲されて上記裏面シート１２に着脱可能になしてある。また裏面シート１２は、フラップ３０，３０の離脱状態下において、使い捨ておむつの肌当接面に粘着固定可能になしてある。
【００１０】
本実施形態について更に詳述すると、本実施形態の補助パッド１は、上記吸収体、上記裏面シート１２及び体液透過性の表面シート１３を備えており、吸収体が裏面シート１２と表面シート１３との間に介在配置されている。この吸収体は、使い捨ておむつ（図示せず）の吸収部よりも幅狭に形成されている。
また本実施形態の補助パッド１は、図２に示すように、肌当接面から装着者側へ起立されている立体ガード２０，２０を有している。この立体ガード２０，２０は、表面シート１３の肌当接面側において吸収体の左右両側縁上に重ねて配置された帯状のカフ部材２１，２１と、これらのカフ部材２１，２１の補助パッド１の中央側の縁部に伸長された状態で固定された弾性部材２２，２２とを備えている。
裏面シート１２、表面シート１３及びカフ部材２１，２１は吸収体の周縁において層状に重なった状態で接着されており、カフ部材２１，２１は弾性部材２２，２２の収縮によって装着者側に起立保持されている。
【００１１】
そして、裏面シート１２及びカフ部材２１，２１は、吸収体の左右両側縁から更に側方へ延設され、吸収体の左右両側縁から延設された部分が互いに圧着されて、体液不透過性層としての裏面シート１２を有する上記フラップ３０，３０が設けられている。
【００１２】
裏面シート１２には、図１（ｂ）に示すように、裏面層となっている部分の前端部及び後端部それぞれの左右両側縁部に粘着部４１，４１，４１，４１が設けられ、フラップ３０，３０を形成している部分の前端部及び後端部には被粘着部４２，４２，４２，４２が設けられている。そして、フラップ３０，３０が、吸収体との境界部から折曲されて、粘着部４１，４１，４１，４１と被粘着部４２，４２，４２，４２とが剥離可能に粘着され、フラップ３０，３０が裏面シート１２の裏面層となっている部分に着脱可能になっている。
【００１３】
上記吸収体、裏面シート１２、表面シート１３、及びカフ部材２１，２１としては、通常補助パッドに用いられるものを特に制限なく用いることができる。また、弾性部材２２，２２としては、糸ゴム、平ゴムあるいはフィルム状の発泡ポリウレタン等の、通常補助パッドに用いられるものを特に制限なく用いることができる。
【００１４】
上記粘着部４１，４１，４１，４１は、裏面シート１２に粘着剤を塗布し、又は粘着剤の塗布されたテープを固着することにより形成することができる。上記粘着剤としては、ゴム系粘着剤の他、シリコーン含有ゴム系粘着剤、アクリル系粘着剤、シリコーン含有アクリル系粘着剤、及びシリコーン系粘着剤等を用いることができる。
上記被粘着部４２，４２，４２，４２は、裏面シート１２に剥離処理剤を塗布又は吹きつけるか、剥離テープを粘着する等して行うことができる。上記剥離処理剤あるいは上記剥離テープの剥離成分としては、シリコーン樹脂系、フッ素樹脂系、及びオクタデシルイソシアネート系のもの等が好ましい。
【００１５】
上述の構成を有する本実施形態の使い捨ておむつ用の補助パッド１においては、使用前には、図１（ａ）及び図２（ａ）に示すように、フラップ３０，３０が吸収体との境界部から折曲され、粘着部４１，４１，４１，４１と被粘着部４２，４２，４２，４２とが粘着されており、粘着部４１，４１，４１，４１が被粘着部４２，４２，４２，４２により保護され、また補助パッド１の幅Ｗが、使い捨ておむつ（図示せず）の吸収部よりも狭く形成されている。
【００１６】
そして、日中等頻繁におむつ交換作業可能な時には、スペア用として、粘着部４１，４１，４１，４１を被粘着部４２，４２，４２，４２から剥離し、図１（ｂ）及び図２（ｂ）に示すように、フラップ３０，３０を吸収体の側方に配置させ、粘着部４１，４１，４１，４１を使い捨ておむつ（図示せず）に粘着固定させて装着する。この状態では、補助パッド１の幅Ｗがフラップ３０，３０の分だけ増加され、また、補助パッド１が使い捨ておむつ（図示せず）からずれないので、立体ガード２０，２０及びフラップ３０，３０の機能が良好に発揮され、補助パッド１の側外方における使い捨ておむつ（図示せず）への体液の漏れが確実に回避される。
【００１７】
また、夜間等長時間にわたっておむつ交換ができない時には、吸収補助用として、粘着部４１，４１，４１，４１と被粘着部４２，４２，４２，４２とが粘着された状態のまま、表面シート１３を肌当接面側にして使い捨ておむつとともに装着する。この状態では、補助パッド１の幅Ｗが狭く形成されており、また装着者の動作によって、補助パッド１が使い捨ておむつ（図示せず）に対して位置変化するので、装着者からの体液は、補助パッド１に吸収されるとともに、補助パッド１の側外方から使い捨ておむつ（図示せず）に良好に移行し、補助パッド１と使い捨ておむつ（図示せず）の双方によって多量の体液が吸収・保持される。
【００１８】
この様に、本実施形態の使い捨ておむつ用の補助パッド１によれば、フラップ３０，３０を吸収体の側方に配置させ、粘着部４１，４１，４１，４１を使い捨ておむつ（図示せず）に粘着固定させて該補助パッド１を装着することにより、補助パッド１の使い捨ておむつに対するずれを防ぎ、立体ガード２０，２０及びフラップ３０，３０の機能を良好に発揮させて、補助パッド１の側外方における体液の使い捨ておむつへの漏出を確実に回避することが可能である。
本実施形態の使い捨ておむつ用の補助パッド１によれば、粘着部４１，４１，４１，４１を被粘着部４２，４２，４２，４２に粘着させてフラップ３０，３０を折り返し配置させ、補助パッド１を幅狭に形成させた状態で装着することにより、補助パッド１の使い捨ておむつ（図示せず）に対する相対的位置を装着者の動作によって変化させ、装着者からの体液を、補助パッド１と使い捨ておむつ（図示せず）との双方に吸収・保持させることが可能である。
【００１９】
本実施形態の使い捨ておむつ用の補助パッド１によれば、吸収補助用としてフラップ３０，３０を吸収体との境界部から折曲し重合して使用する場合には、補助パッド１が幅狭となるので、横漏れ防止用の立体ガードを備えた使い捨ておむつにおいて、補助パッド１を該使い捨ておむつの立体ガード間に安定して配置することが可能である。
【００２０】
本発明は上述した実施形態に限定されるものではなく、各部材の具体的な形状、寸法等は、本発明の趣旨を逸脱しない限り適宜変更可能である。
例えば、裏面シート１２には、フラップ３０，３０を形成している部分の前端部及び後端部に粘着部４１，４１，４１，４１を設け、裏面層となっている部分の前端部及び後端部それぞれの左右両側縁部に被粘着部４２，４２，４２，４２を設けることができる。
また、粘着部４１，４１，４１，４１を、裏面シート１２の左右両側縁部に、該側縁部の長さ方向略全長に亘って設け、被粘着部４２，４２，４２，４２を、フラップ３０，３０の長さ方向略全長に亘って設けることができる。
【００２１】
フラップ３０，３０は、裏面シート１２やカフ部材２１，２１を利用することなく別の部材を用いて設けることができる。
裏面シート１２の非肌当接面に不織布等を積層配置して裏面シート１２とともに裏面層を形成させ、この不織布に粘着部４１，４１，４１，４１や被粘着部４２，４２，４２，４２を設けることもできる。
表面シート１３と吸収体とを一体に形成することができる。
裏面シート１２の裏面層を形成する部分と吸収体とを一体に形成することができる。
【００２２】
【発明の効果】
以上説明したように、本発明の使い捨ておむつ用の補助パッドによれば、フラップを吸収体の側方に配置させ、裏面層又はフラップを使い捨ておむつの肌当接面に粘着固定させた状態で該補助パッドを装着することによって、補助パッドの使い捨ておむつに対するずれを防ぎ、立体ガードとフラップの機能を良好に発揮させて、使い捨ておむつへの体液の移行を確実に阻止し、使い捨ておむつを繰り返し経済的に使用することが可能である。
また、体液不透過性層を有するフラップを裏面層に固着させ、補助パッドを幅狭に形成させた状態で装着することによって、補助パッドを装着者の動作に従って使い捨ておむつに対して位置変化させ、装着者からの体液を、補助パッドと使い捨ておむつとの双方に多量に吸収・保持させることが可能である。
【図面の簡単な説明】
【図１】図１は、本発明の第１の実施形態に係る使い捨ておむつ用の補助パッドを裏面シート側から見た斜視図であって、（ａ）は吸収補助用としての使用の状態を示す図、（ｂ）はスペア用としての使用の状態を示す図である。
【図２】図１の補助パッドを表面シート側からみた斜視図であって、（ａ）は吸収補助用としての使用の状態を示す図、（ｂ）はスペア用としての使用の状態を示す図である。
【符号の説明】
１    使い捨ておむつ用の補助パッド
１２    裏面シート
１３    表面シート
２０    立体ガード
２１    カフ部材
２２    弾性部材
３０    フラップ
４１    粘着部
４２    被粘着部
【図１】
0003685874.tif 000002
【図２】
0003685874.tif 000003